(57)【要約】【課題】  太陽の高度によらずに、太陽光を有効に利用することが可能な太陽光発電システムおよびその設置構造を提供する。【解決手段】  太陽電池モジュール３は、板状の部材であり、一方の面が受光面５となる。太陽電池モジュール３の下端は、反射部材７と接合される。この際、太陽電池モジュール３の受光面５が、反射部材７と対向するように、太陽電池モジュール３および反射部材７が配置される。太陽電池モジュール３は、設置面９に対して角度α１で起立する。この際、受光面５と設置面９（水平方向）とのなす角度が９０°以下となる。すなわち、太陽電池モジュール３は、受光面５が反射部材７側に傾斜（最大で９０°以下）となる。【選択図】図１
2015119155.tif 000002
【特許請求の範囲】
【請求項１】
太陽光発電システムであって、
太陽電池モジュールと、
前記太陽電池モジュールの前方に配置される反射部材と、
を具備し、
前記反射部材は、互いに異なる複数の方向に向けて形成される反射面を有し、
太陽光発電システムを設置部へ固定した際に、前記太陽電池モジュールの受光面と水平方向とのなす角度が９０度以下であり、
前記太陽電池モジュールは、前記反射部材で反射した光を受光可能であることを特徴とする太陽光発電システム。
【請求項２】
前記反射部材は、光を拡散反射させる拡散反射部材で構成されることを特徴とする請求項１記載の太陽光発電システム。
【請求項３】
前記反射部材の高さが、前記太陽電池モジュールの高さとほぼ等しいことを特徴とする請求項１または請求項２に記載の太陽光発電システム。
【請求項４】
前記反射部材は、赤外線を透過または吸収することを特徴とする請求項１から請求項３のいずれかに記載の太陽光発電システム。
【請求項５】
複数の太陽光発電システムが設置された設置構造であって、
前記太陽光発電システムは、太陽電池モジュールと、前記太陽電池モジュールの前方に配置される反射部材と、を具備し、前記反射部材は、互いに異なる複数の方向に向けて形成される反射面を有し、前記太陽光発電システムを設置部へ固定した際に、前記太陽電池モジュールの受光面と水平方向とのなす角度が９０度以下であり、前記太陽電池モジュールは、前記反射部材で反射した光を受光可能であり、複数の前記太陽光発電システムは、前記反射部材の背面側に前記太陽電池モジュールの背面が対向するように縦方向に併設されるとともに、横方向に併設されることを特徴とする太陽光発電システム設置構造。
【発明の詳細な説明】
【技術分野】
【０００１】
本発明は、発電効率に優れる太陽光発電システムおよびこの設置構造に関するものである。
【背景技術】
【０００２】
近年、自然エネルギーを利用した発電が注目されている。特に、太陽光発電は、家庭用の小規模な発電からメガソーラーと呼ばれる大規模な発電まで導入が進められている。
【０００３】
図１０は、複数の太陽電池モジュール１０１が設置された太陽電池モジュール設置構造１００を示す図である。太陽電池モジュール１０１は、所定の角度を向けて、受光面が南に向くように配置される。たとえば、太陽電池モジュール１０１は、地面から１０°〜３０°の角度で、南方向に向けて配置される。この角度は、例えば、ＮＥＤＯ（Ｎｅｗ  Ｅｎｅｒｇｙ  ａｎｄ  Ｉｎｄｕｓｔｒｉａｌ  Ｔｅｃｈｎｏｌｏｇｙ  Ｄｅｖｅｌｏｐｍｅｎｔ  Ｏｒｇａｎｉｚａｉｔｉｏｎ）で推奨される、発電効率の高い角度である。
【０００４】
図１０（ａ）に示すように、太陽電池モジュール１０１の設置間隔は、利用する太陽光の入射角度によって設定される。すなわち、太陽高度がβ１の角度以上で、発電を開始するように設定する。β１の角度としては、たとえば、３０°に設定される。この場合には、図１０（ａ）に示すように、３０°以上の角度の太陽光によって、前方の太陽電池モジュール１０１の陰が後方の太陽電池モジュール１０１に入らないように、互いの間隔が決められる。これは、太陽電池モジュール１０１の一部に影がかかると、その部位が発電に寄与しないばかりでなく、抵抗として働くため、発電効率が著しく低下するためである。
【０００５】
図１０（ｂ）は、このような太陽電池モジュール設置構造１００に対して、太陽が南中高度に達した状態を示す図である。前述したように、太陽電池モジュール１０１には、互いの影が入り込むことはないが、太陽電池モジュール１０１同士の間には、太陽光が地表に達する部位が生じる（図中領域Ｘ）。地表に達した太陽光は、発電に寄与することがないため、発電に使用できない太陽光となる。すなわち、太陽光の一部を発電に利用することができない。
【０００６】
しかし、太陽電池モジュール１０１同士の間隔を狭くすれば、太陽高度の低い時間帯には、影の影響によって発電効率が著しく低下するため望ましくない。このため、太陽光をより有効に利用した太陽光発電システムが望まれる。
【０００７】
このような地表に入射する太陽光を発電に利用する方法としては、例えば、太陽電池モジュールの前面に反射板を設置する方法がある（特許文献１）。
【０００８】
また、反射鏡の上部に受光部を配置して光を受ける方法がある（特許文献２）。
【先行技術文献】
【特許文献】
【０００９】
【特許文献１】特開２００２−２６３６３号公報
【特許文献２】特表２００９−５４５１８６号公報
【発明の概要】
【発明が解決しようとする課題】
【００１０】
しかし、特許文献１では、必要な太陽高度範囲のすべての光を受光することは困難である。例えば、夏至の南中高度は東京では約７８°程度であるが、このような角度で太陽光が反射板に入射すると、太陽電池モジュールの上方に光が反射されてしまう。このため、結果として、太陽電池モジュールを超えて反射した太陽光を発電に利用することはできない。
【００１１】
また、特許文献２も、反射鏡自体の角度を太陽高度に追従させなければ、太陽光を受光部に受光することができない。また、太陽電池モジュールのように受光面積の大きなものは、太陽電池モジュールの背面に太陽光が照射されてしまい、太陽光を有効に利用することができない。
【００１２】
本発明は、このような問題に鑑みてなされたもので、太陽の高度によらずに、太陽光を有効に利用することが可能な太陽光発電システムおよびその設置構造を提供することを目的とする。
【課題を解決するための手段】
【００１３】
前述した目的を達するために第１の発明は、太陽光発電システムであって、太陽電池モジュールと、前記太陽電池モジュールの前方に配置される反射部材と、を具備し、前記反射部材は、互いに異なる複数の方向に向けて形成される反射面を有し、太陽光発電システムを設置部へ固定した際に、前記太陽電池モジュールの受光面と水平方向とのなす角度が９０度以下であり、前記太陽電池モジュールは、前記反射部材で反射した光を受光可能であることを特徴とする太陽光発電システムである。
【００１４】
前記反射部材は、光を拡散反射させる拡散反射部材で構成されることが望ましい。
【００１５】
前記反射部材の高さが、前記太陽電池モジュールの高さとほぼ等しいことが望ましい。
【００１６】
前記反射部材は、赤外線を透過または吸収してもよい。
【００１７】
第１の発明によれば、太陽電池モジュールを太陽光の入射側に傾けて配置することで、反射部材によって反射した太陽光を有効に受光面に入射させることができる。
【００１８】
また、反射部材が複数の方向に向けて配置されるため、確実に太陽光を所望の方向に反射させることができる。
【００１９】
また、反射部材の表面を拡散反射するようにすることで、受光面に対する光の分布をなだらかにすることができる。このため、太陽電池モジュールの全面に略均一な太陽光を入射させて発電を行うことができる。
【００２０】
また、太陽電池モジュールと反射部材との高さを略一致させることで、太陽光発電システムを縦方向に並べて設置した際に、隣り合う太陽電池モジュールと反射部材との境界における太陽光も有効に利用することができる。
【００２１】
また、反射部材が、赤外線を透過または吸収する材質で構成することで、赤外線波長領域の光が反射部材で反射して、太陽電池モジュールの受光面に入射することを抑制することができる。このため、太陽電池モジュールの温度上昇を防ぐことができる。この結果、温度上昇に起因した発電効率の低下を抑制することができる。
【００２２】
第２の発明は、複数の太陽光発電システムが設置された設置構造であって、前記太陽光発電システムは、太陽電池モジュールと、前記太陽電池モジュールの前方に配置される反射部材と、を具備し、前記反射部材は、互いに異なる複数の方向に向けて形成される反射面を有し、太陽光発電システムを設置部へ固定した際に、前記太陽電池モジュールの受光面と水平方向とのなす角度が９０度以下であり、前記太陽電池モジュールは、前記反射部材で反射した光を受光可能であり、複数の前記太陽光発電システムは、前記反射部材の背面側に前記太陽電池モジュールの背面が対向するように縦方向に隙間なく併設されるとともに、横方向に隙間なく併設されることを特徴とする太陽光発電システム設置構造である。
【００２３】
第２の発明によれば、所定範囲の太陽高度に対して、最大限太陽光を有効に利用した太陽電池モジュールの設置構造を得ることができる。
【００２４】
この際、反射部材の表面が拡散反射するようにすることで、受光面に対する光の分布をなだらかにすることができ、太陽電池モジュールのほぼ全面を利用して発電を行うことができる。
【００２５】
また、太陽電池モジュールは、水平方向に対して、設置場所の夏至の最大太陽高度と略同一角度で配置されるため、太陽電池モジュールから外れる太陽光を最小限にすることができる。
【発明の効果】
【００２６】
本発明によれば、太陽の高度によらずに、太陽光を有効に利用することが可能な太陽光発電システムおよびその設置構造を提供することができる。
【図面の簡単な説明】
【００２７】
【図１】太陽光発電システム１を示す側面図。
【図２】太陽光発電システム設置構造１０を示す図。
【図３】太陽光発電システム１の設計方法を示す図。
【図４】太陽光発電システム１の設計方法を示す図。
【図５】太陽光発電システム１の設計方法を示す図。
【図６】太陽光発電システム１の設計方法を示す図。
【図７】太陽光発電システム１の設計方法を示す図。
【図８】太陽光発電システム１の設計方法を示す図。
【図９】太陽光発電システム１へ太陽光が入射する状態を示す図で、（ａ）は最低高度の太陽光を示す図、（ｂ）は最大高度の太陽光を示す図。
【図１０】従来の太陽電池モジュール設置構造１００を示す図で、（ａ）は最低高度の太陽光を示す図、（ｂ）は最大高度の太陽光を示す図。
【発明を実施するための形態】
【００２８】
以下、図面を参照しながら、本発明の実施形態について説明する。図１は、太陽光発電システム１を示す側面図である。太陽光発電システム１は、太陽電池モジュール３、反射部材７等から構成される。
【００２９】
太陽電池モジュール３は、板状の部材であり、一方の面が受光面５となる。受光面５に光が入射すると発電し、図示を省略したケーブル等を介して、電流が流れる。太陽電池モジュール３の種類としては、単結晶シリコン系、多結晶シリコン系、アモルファス系、化合物系など公知のモジュールを使用することができる。
【００３０】
太陽電池モジュール３の下端は、反射部材７と接合される。この際、太陽電池モジュール３の受光面５が、反射部材７と対向するように、太陽電池モジュール３および反射部材７が配置される。
【００３１】
太陽電池モジュール３は、設置面９に対して角度α１で起立する。この際、受光面５と設置面９（水平方向）とのなす角度が９０°以下となる。すなわち、太陽電池モジュール３は、受光面５が反射部材７側に傾斜（最大で９０°以下）となる。したがって、太陽電池モジュール３の受光面５は、太陽電池モジュール３の直上からは見えないように配置される。
【００３２】
なお、以下の説明では、設置面９が水平である例について説明するが、設置面９が傾斜している場合には、全て、水平を基準に各角度を設定すればよい。また、以下の説明では、特に記載がない限り、角度は全て水平方向に対する角度とする。
【００３３】
太陽電池モジュール３の高さと、反射部材７の高さは略一致する（図中Ｈ）。したがって、太陽光発電システム１を前後方向（図中左右方向）に並べた際、太陽電池モジュール３の最上部と反射部材７の最上部とが隙間なく連結することができる。
【００３４】
反射部材７は、複数の方向に向けて反射部７ａ〜７ｄが形成される。なお、図に示す例では、反射部材７は、４か所の反射部７ａ〜７ｄがそれぞれ異なる向きに連続する例を示すが、本発明はこれに限られない。例えば、反射部の個数（角度）が３か所以下であってもよく、互いに連続して湾曲した形状であってもよい。少なくとも、互いに異なる角度の反射部を複数有すればよい。なお、反射部材７の設計方法および、太陽光の反射態様の詳細は後述する。
【００３５】
図２は、太陽光発電システム１を複数併設した太陽光発電システム設置構造１０を示す図である。太陽電池モジュール３の受光面５は、南側に向けて配置される。すなわち、太陽電池モジュール３の南側に反射部材７が位置するように、太陽光発電システム１が設置される。
【００３６】
太陽光発電システム１は、隣り合う太陽光発電システム１の太陽電池モジュール３同士、反射部材７同士が連続するように、左右方向に連結される。また、前述したように、太陽電池モジュール３の上部と隣り合う太陽光発電システム１の反射部材７の上端部が接続され、前後方向にも連結される。
【００３７】
このように、本発明の太陽光発電システム１は、隙間なく並べることができる。このように配置することで、太陽光を最大限有効に利用することができる。なお、太陽光発電システム１同士の間に、作業等のための多少の隙間を形成してもよい。
【００３８】
次に、太陽光発電システム１の設計方法について説明する。まず、図３に示すように、太陽電池モジュール３の配置を決定する。太陽電池モジュール３は、受光面５が鉛直方向に対して下側（最大でも鉛直方向と一致）に向くように配置される。ここで、設置面９に対する受光面５のなす角度α１は、太陽光発電システム１が使用される地域の夏至における太陽の南中高度に設定される。例えば、東京の夏至の南中高度は約７８°であるため、α１は７８°に設定される。また、反射材の設計においては正反射するという前提で設計する。
【００３９】
次に、図１における反射部材７の配置を検討する。まず、反射部７ｄの位置を設定する。反射部７ｄは図４に示すように、以下のようにして設定される。まず、太陽電池モジュール３の上端から、受光面５の向く方向に向けて、設置面９との角度がα２となるように直線を下す（直線Ｓ）。α２は、設置地域の夏至の太陽の南中高度（最大高度）であるため、α２はα１と同一の大きさで、向きのみが反対側になる。
【００４０】
この直線Ｓと設置面９との交点から太陽電池モジュール３の下端までの区間（直線Ａ）上に反射部７ｄが設定される。ここで、直線Ａの端部（太陽電池モジュール３とは逆側の端部であって図４のＢ）に、α１の角度の太陽光が入射すると、太陽光は太陽電池モジュール３の上端に入射する。したがって、図４のＡの範囲に入射した太陽光は、全て受光面５に向けて反射することができる。
【００４１】
次に、直線Ａの端部Ｂから南側に図１における反射部７ｃを設定する。まず、図５に示すように、Ｂから、水平方向に対して所定角度α３の角度の直線（直線Ｃ）を設定する。α３は、以下のようにして求めることができる。
【００４２】
反射部７ｄで最大南中高度の太陽光が反射した場合に、この反射光と太陽電池モジュール３とのなす角度α４は、１８０°―α１×２で表される。α１＝７８°の場合には、α４＝２４°となる。次に、α３＝α４／２と設定する。すなわち、上述の例では、α３＝１２°とする。このようにすることで、反射部７ｃ（直線Ｃ上）で反射した反射光と反射部７ｄで反射した反射光のなす角度がα４となる。
【００４３】
次に、反射部７ｃの範囲を設定する。反射部７ｃは、最大南中高度α１の角度の太陽光が入射した場合でも、受光面５の上に反射光が逃げない範囲で設定される。すなわち、α１−α３×２の角度の反射光を想定し、この角度で太陽電池モジュール３の上端を通る直線（図５のＴ）を設定した際に、直線Ｃと直線Ｔが交わる点（図５のＥ）が、反射部７ｃの端部となる。すなわち、反射部７ｃは、Ｂ位置〜Ｅ位置の範囲（図５のＤ）に設定される。
【００４４】
このように、直線Ｃの端部（太陽電池モジュール３とは逆側の端部であって図中Ｅ）に、α１の角度の太陽光が入射すると、太陽光は正反射して太陽電池モジュール３の上端に入射する。したがって、図５のＤの範囲に入射した太陽光は、全て受光面５に向けて反射することができる。
【００４５】
次に、図１における反射部７ｂを設定する。まず、図６に示すように、Ｅから、水平方向に対して所定角度α５の角度の直線（直線Ｆ）を設定する。α５は、以下のようにして求めることができる。
【００４６】
反射部７ｂで最大南中高度の太陽光が反射した場合に、この反射光が太陽電池モジュール３に対して垂直に入射する角度を求める。最大南中高度の太陽光の入射角度はα１である。また、受光面５は、α１の角度で起立する。したがって、α５＝α１−４５°で算出することができる。α１＝７８°の場合には、α５＝３３°となる。
【００４７】
次に、反射部７ｂの範囲を設定する。反射部７ｂは、最大南中高度α１の角度の太陽光が入射した場合でも、受光面５の上に反射光が逃げない範囲で設定される。すなわち、α１−α５×２の角度の反射光を想定し、この角度で太陽電池モジュール３の上端を通る直線（図中Ｕ）を設定した際に、直線Ｆと直線Ｕが交わる点（図６のＩ）が、反射部７ｂの端部となる。すなわち、反射部７ｂは、Ｅ位置〜Ｉ位置の範囲（図６のＧ）に設定される。
【００４８】
このように、直線Ｆの端部（太陽電池モジュール３とは逆側の端部であって図中Ｉ）に、α１の角度の太陽光が入射すると、太陽光は正反射して太陽電池モジュール３の上端に入射する。したがって、図中Ｇの範囲に入射した太陽光は、全て受光面５に向けて反射することができる。
【００４９】
次に、図１における反射部７ａを設定する。まず、図７に示すように、Ｉから、水平方向に対して所定角度α７の角度の直線（直線Ｋ）を設定する。α７は、以下のようにして求めることができる。
【００５０】
反射部７ａで最大南中高度の太陽光が反射した場合に、この反射光が太陽電池モジュール３に向けて水平に反射する角度を求める。最大南中高度の太陽光の最大入射角度はα１である。したがって、α７＝α１／２で求められる。α１＝７８°の場合には、α７＝３９°となる。
【００５１】
次に、反射部７ａの範囲を設定する。反射部７ａは、最大南中高度α１の角度の太陽光が入射した場合でも、受光面５の上に反射光が逃げない範囲で設定される。すなわち、太陽電池モジュール３の上端を通る水平線（図７のＪ）を設定した際に、直線Ｋと直線Ｊが交わる点（図７のＬ）が、反射部７ａの端部となる。
【００５２】
このように、直線Ｋの端部（太陽電池モジュール３とは逆側の端部であって図７のＬ）に、α１の角度の太陽光が入射すると、太陽光は正反射して太陽電池モジュール３の上端に入射する。したがって、反射部７ａに入射した太陽光は、全て受光面５に向けて反射することができる。
【００５３】
次に、設定された反射部７ａ〜７ｄが適切に設定されたかどうかを確認する。図８に示すように、太陽電池モジュール３の下端から、水平方向に対してα８の角度の入射光を想定する。この入射光が南側から入射した際における、直線Ｊとの交点をＭとすると、Ｍが、反射部７ａの端部Ｌよりも太陽電池モジュール３側に位置することを確認する。ＭがＬよりも南側に位置してしまうと、角度α８の角度の光が、反射部７ａによって遮られてしまい、受光面５に入射しなくなる。
【００５４】
なお、α８は例えば、最大南中高度α１／３で設定される。α１＝７８°の場合には、α８＝２６°となる。すなわち、α８は、太陽光発電システム１が発電を開始する最低太陽高度である。
【００５５】
なお、α８が小さすぎると、太陽高度がより低い時間から発電を開始することができるが、周囲の建物や木などの影ができやすく、発電が安定しにくい。また、太陽光発電システム１のサイズが大きくなる。一方、α８を大きくしすぎると、それ以下の太陽高度では、効率よく発電を行わせることができなくなる。したがって、α８は、α１／３程度とすることが望ましい。以上により、図１における反射部材７の設計が完了する。
【００５６】
図９は、このようにして設計された太陽光発電システム１に対する、太陽光の入射角度に対する反射光の示す図である、図９（ａ）に示すように、太陽高度が発電を開始する設定角度（α８）となると、全ての太陽光は、太陽電池モジュール３の受光面５に直接入射する。この際、反射部材７によって、影ができることがない。なお、太陽電池モジュール３の上方を通過した太陽光は、隣り合う太陽光発電システム１の受光面５に入射する。
【００５７】
なお、太陽の方向によって、太陽光は、南側からではなく、東西方向（紙面に垂直な方向）にずれた方向から入射する場合があるが、この場合であっても、横方向に太陽光発電システム１を併設することで、隣り合う他の太陽光発電システム１の受光面５に太陽光を入射することができる。
【００５８】
太陽高度があがり、太陽の最大高度（夏至の南中高度）に達すると、図９（ｂ）に示すように、全ての太陽光は、反射部材７に入射し、反射部材７の反射光を受光面５で受ける。例えば、反射部７ａは、α１の１／２の角度に設定されるため、反射光は全て水平方向となり、受光面５に入射する。また、反射部７ｄの範囲では、必ず受光面５の範囲に太陽光を反射するため、太陽光が太陽電池モジュール３の上方に漏れることがない。また、反射部７ｂ、７ｃは、最大角度α１の太陽光に対しても、受光面５の最上部より上に反射光が行くことがないため、必ず、受光面５の範囲に太陽光が反射される。
【００５９】
以上説明したように、本発明によれば、太陽光を最大限利用して発電を行うことができるため、極めて高い発電効率を得ることができる。特に、設定された太陽高度の範囲内においては、理論上、全ての太陽光を効率よく受光面５に反射することができるため、太陽光を地面や太陽電池モジュールの上方に逃がすことがない。
【００６０】
このような効果は、太陽電池モジュール３の設置角度を、従来とは逆の下方に受けることで効率よく達成することができる。なお、太陽電池モジュール３は、鉛直に設定することも可能であるが、α１を太陽の最大南中高度に設定するためには、通常α１は９０°未満で設定されることが望ましい。
【００６１】
このように、太陽電池モジュール３の受光面が、上方に向かないため、受光面５への汚れなどの付着や堆積がない。このため、受光面５の汚れによる発電効率の低下を抑制することができる。
【００６２】
また、例えば積雪のある地域では、通常、モジュールに太陽光が到達できる雪の厚さになるまで効率は落ちたままになる。しかし、本発明では、受光面に雪が直接堆積することがない。このため、反射板にたとえ雪が堆積しても、雪による反射によって、効率はやや落ちるとしても、発電を行うことが可能である。特に雪は、反射率が高く、発電に必要な光量を十分に確保することができる。
【００６３】
また、反射部材７と太陽電池モジュール３の上端の高さを一致させることで、反射部材７と太陽電池モジュール３とを連結する際に、連結部での太陽光の無駄を最小限にすることができる。
【００６４】
このように、あらゆる方向からの光を反射することができるため、本発明の太陽光発電システム１は、曇りの日においても、高い発電効率を発揮することができる。通常、曇天においては、太陽光は直接光ではなく散乱光となることが知られている。本発明では、このような散乱光であっても、効率よく受光面５に反射して、発電を行うことができる。したがって、従来の太陽光発電システムでは、曇りになると、急激に発電量が低下するが、本発明では、発電量の低下は小さく、影響が小さい。
【００６５】
なお、反射部材７の材質としては、各種使用することができるが、拡散反射を行うことができる材質であることが望ましい。前述したように、太陽電池モジュール３は、受光面５に均一な光が入射する際に、最も発電効率が高くなり、受光のムラが生じると、発電効率が低下する。一方、本発明では、太陽高度によって、受光面５へ入射する太陽光が、部分的に光の強い部分と弱い部分とが生じる恐れがある。このため、反射光を多少拡散させることで、多少の光漏れを生じるものの、受光面５への入射光のムラを抑制し、受光面５の全面に略均一な太陽光を入射させることができる。この結果、発電量を高めることができる。なお、反射光の拡散によって、反射光の一部が受光面５から漏れたとしても、本発明では、少なくとも反射光の中心が受光面５に入射するため、漏れ光の影響は小さい。
【００６６】
このような拡散反射を起こす拡散反射部材としては、例えば、内部に微細気泡を有する発泡体（例えば、古河電気工業社製のＭＣＰＥＴ（登録商標）、ＭＣＰＯＬＹＣＡ（登録商標））を用いることができる。また、白色塗装や表面の凹凸等によって拡散させることもできる。
【００６７】
また、反射部材７の材質としては、赤外線領域の波長の光を吸収または透過する材質を使用することが望ましい。通常、赤外線領域の光は、太陽光発電にはあまり寄与しない。一方、赤外線が受光面５に入射すると、太陽電池モジュール３の温度を上昇させる。太陽電池モジュール３は、温度が上昇することで、発電効率が低下する。このため、反射部材７によって赤外線を吸収または透過させることで、赤外線が太陽電池モジュール３に反射することを抑制することができる。したがって、温度上昇に伴う、太陽電池モジュール３の発電効率の低下を抑制することができる。
【００６８】
このような反射部材７の材質としては、金属（アルミニウムなど）を適用することができる。また、前述した発泡樹脂であっても、赤外線の反射が抑制されるため、望ましい。
【００６９】
このようにして、反射部材７が赤外線を吸収または透過させると、反射部材７の温度が上昇する。このため、反射部材７の下部に、蓄熱ようの媒体（例えば水）などを流すことで、熱を利用することもできる。
【００７０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００７１】
例えば、反射部の数を減らすこともできる。この場合、太陽高度によっては、受光面に全ての反射光が入射せずに多少の漏れ光が生じる恐れがある。しかし、本発明によれば、入射光全体に対する漏れ光の影響を小さくすることができるため、高い効率で発電を行うことができる。
【符号の説明】
【００７２】
１………太陽光発電システム
３………太陽電池モジュール
５………受光面
７………反射部材
７ａ、７ｂ、７ｃ、７ｄ………受光部
９………設置面
１０………太陽光発電システム設置構造
１００………太陽電池モジュール設置構造
１０１………太陽電池モジュール
【図１】
2015119155.tif 000003
【図２】
2015119155.tif 000004
【図３】
2015119155.tif 000005
【図４】
2015119155.tif 000006
【図５】
2015119155.tif 000007
【図６】
2015119155.tif 000008
【図７】
2015119155.tif 000009
【図８】
2015119155.tif 000010
【図９】
2015119155.tif 000011
【図１０】
2015119155.tif 000012